(57)【要約】      （修正有）【課題】ヘアドライヤーノズルに関し、ヘアドライヤーの前方に分離型または一体型に結合され送風の集中または拡散を調節可能にしたヘアドライヤーノズルを提供する。【解決手段】公知の構造のヘアドライヤー１の風が吐出される開口部２に着脱されるように設置され、開口部２を通じて吐出される風が引き込まれる引込穴１０２ａと、引き込まれた風を吐出する吐出穴１０２ｂからなるメインノズル穴１０２とを含むヘアドライヤーノズルにおいて、ヒンジ溝１３０に旋回可能に結合され旋回角度によって前記メインノズル穴１０２の吐出穴１０２ｂ側の吐出面積を拡大縮小し送風が対象物に集中及び拡大されるように設けられた可変型送風部材１４０と、その旋回角度を調節することができる角度調節ノブ１５０とを含む。【選択図】図５
2010240388.tif 000002
【特許請求の範囲】
【請求項１】
公知の構造のヘアドライヤー（１）の風が吐出される開口部（２）に着脱されるように設置され、開口部（２）を通じて吐出される風が引き込まれる引込穴（１０２ａ）と、引き込まれた風を吐出する吐出穴（１０２ｂ）からなるメインノズル穴（１０２）とを含むヘアドライヤーノズルにおいて、
前記ヘアドライヤーノズル（１００）の外側一面の中央に貫通形成され、内側に湾曲した旋回段階調節突起（１１１）が多数形成された旋回調節穴（１１０）と、
前記ヘアドライヤーノズル（１００）の外側一面に形成され、前記旋回調節穴（１１０）の上下側に前後長さ方向に長く貫通形成されたノブガイド穴（１２０）と、
前記ヘアドライヤーノズルの前記メインノズル穴（１０２）の吐出穴（１０２ｂ）側の前記旋回調節穴（１１０）の後方の内周面の上下に形成されたヒンジ溝（１３０）と、
一段が前記ヒンジ溝（１３０）に旋回可能に結合され旋回角度によって前記メインノズル穴（１０２）の吐出穴（１０２ｂ）側の吐出面積を拡大縮小して送風が対象物に集中及び拡大されるように設けられた可変型送風部材（１４０）と、
前記旋回調節穴（１１０）とノブガイド穴（１２０）に結合され前記ヒンジ溝（１３０）を中心に旋回される前記可変型送風部材（１４０）の旋回角度を調節することができる角度調節ノブ（１５０）とを含むヘアドライヤーノズル。
【請求項２】
前記可変型送風部材（１４０）は前記メインノズル穴（１０２）の内部に位置され前記ヘアドライヤー（１）の開口部（２）を通じて引き込まれた熱風または冷風が吐出穴（１０２ｂ）を通じて吐出される送風が集中及び拡大されるように調節する板状の送風調節板（１４２）と、
前記ヘアドライヤーノズル（１００）の内周面に上下に設けられた前記ヒンジ溝（１３０）にヒンジ結合されるように前記送風調節板（１４２）の後段の上下に形成されたヒンジ突起（１４４）と、
前記送風調節板（１４２）の一面に前記旋回調節穴（１１０）と同一線上に開口形成されたノブの挿入穴（１４６）と、
前記送風調節板（１４２）の他側面に一体に突出形成され、前記角度調節ノブ（１５０）の移動によって前記送風調節板（１４２）が旋回されるように湾曲した曲線を有する旋回ガイド長穴（１４８ａ）が形成されたガイド口（１４８）、とが形成されることを特徴とする請求項１に記載のヘアドライヤーノズル。
【請求項３】
前記角度調節ノブ（１５０）は一側に上下対称に突出形成され、前記旋回調節穴（１１０）に嵌合されて前記可変型送風部材（１４０）のノブの挿入穴（１４６）を通じて前記ガイド口（１４８）の内側に位置される移動バー（１５２）と、
前記移動バー（１５２）それぞれの一段の上側と下側に突出形成され、前記旋回ガイド長穴（１４８ａ）にガイド結合され前記移動バー（１５２）の移動によって前記旋回ガイド長穴（１４８ａ）に沿って移動するガイド突起（１５４）と、
前記ヘアドライヤーノズル（１００）の一面に形成されたノブガイド穴（１２０）にそれぞれフック結合して前記角度調節ノブ（１５０）の離脱防止及びガイド移動されるように前記移動バー（１５２）の上下側に対称形成された引掛けガイドフック（１５６）、とが形成されたことを特徴とする請求項１または２に記載のヘアドライヤーノズル。
【発明の詳細な説明】
【技術分野】
【０００１】
本発明はヘアドライヤーノズルに関するものであって、より詳しくはヘアドライヤーの前方に分離型または一体型に結合されるノズルの内側面に可変型送風部材を形成し使用者がノズルの外側から簡便に操作することによって送風の集中または拡張が可能にしたもので、使用者のヘアをスタイリングする又は乾燥などの必要性によって送風を可変調節するヘアドライヤーノズルに関するものである。
【背景技術】
【０００２】
最近になって多くの人々は自分を表出するための方法の一つで外見を重要視して、多くの費用を支払って飾っている。即ち、現代を生きて行く人々がこのような外見を飾ることは自分自身を他人に誇示するまたは自分だけの個性演出などを通じて異性及びビジネスの場面などで他人より優位に立ち注目されるための方法として最初に外見に変化を与えるのがヘアスタイルである。
【０００３】
このようなヘアスタイルは身体を飾る一つの方法として顔の形態や流行によって様々なヘアスタイルに変化される。このような多様なヘアスタイルの変化は多様な方法があるが、その中で一番大衆的に広く使われるヘアドライヤーを挙げることができる。このような従来のヘアドライヤーは熱風を利用し、蛋白質から形成された髪の毛を変形する方法が現代を生きて行く人々に多くの愛を受けて来たことは事実である。
【０００４】
従来のヘアドライヤーを具体的に察してみると、一般的にスイッチが設けられた取っ手が形成され、取っ手と一体に設けられた本体内に熱線と送風手段が内設される。このように構成されたヘアドライヤーを使用者がスイッチを作動し電源を認可すると熱線が発熱され、送風手段によって風が発生し、風が発熱している熱線を通過すると共に熱線から発生する熱が風に伝わりヘアドライヤー本体の一側の開口部を通じて吐出され対象物に送風される。
【０００５】
ここで、従来のヘアドライヤーの開口部には着脱自在の別途のヘアドライヤーノズルが具備される。このようなヘアドライヤーノズルは開口部を通じて吐出される熱風がヘアスタイルによって多様な形態に噴射されるように多様な形態のノズル穴が形成する。したがって、多様な形態に形成されたノズル穴が設けられたヘアドライヤーノズルを使用者はヘアドライヤー本体の開口部に結合して熱風がヘアドライヤーノズルのノズル穴によって噴射されるようになり多様なヘアスタイルの演出が可能である。
【０００６】
また、このような従来のヘアドライヤーを使って前述したようにヘアドライヤーノズルによってヘアスタイルの格好を維持するための手段で使われると共に乾燥目的にも使用可能である。しかし、乾燥させるためには噴射される熱風が使用者のヘアの一定の部分に集中すると乾燥時間が長時間かかり大部分の使用者はヘアドライヤーノズルをヘアドライヤー本体の開口部から熱風が広く吐出されるようにして使っており、ヘアドライヤーを使う時、使用用途によって毎度ヘアドライヤーノズルをヘアドライヤー本体から着脱して使うという煩わしい問題点が発生している。
【０００７】
ここで、前述したノズルを分離してヘアドライヤーを使う時、送風される熱風が広く拡がって吐出されることによって髪の毛の乾燥は迅速で正確に成されるが、開口部から吐出される熱風が飛散され固定された髪の毛が散らばって、これにより纎細なヘアスタイルを維持することができない。また、ノズルが具備されていない状態で開口部を通じて広く飛散拡張されて吐出される熱風を利用して使用者がスタイリングしようとする場合、熱風をヘアに集中的にあてることができず、飛散拡張されることにより、ヘアスタイルを維持するのに多くの時間が必要となる。また、ヘアの特性上時間が経過するほど自然に解けるようになりヘアスタイルの維持が難しいだけでなく、ヘアスタイルの維持による長時間のヘアドライヤーの稼動で多くのエネルギーが無駄使いされるという問題点がある。
【０００８】
一方、ヘアドライヤーノズルをヘアドライヤー本体に結合し使う時、ヘアスタイルを速やかに維持することができるが、ノズル穴を通じる熱風の集中過熱によってヘアドライヤーの使用寿命を短縮及び使用者のヘアの損傷を引き起こすという問題点が発生している。また、均一な乾燥がなされないため乾燥時間が長時間かかるようになりエネルギー浪費が発生するという問題点がある。
【発明の概要】
【発明が解決しようとする課題】
【０００９】
本発明は上述したような問題点を解決するために案出したものであって、ヘアドライヤーの前方に分離型または一体型に結合されるノズルの内周面の両側面に風が吐出される、面積を制御可能な可変型送風部材を設置して送風の集中または拡散を調節し、これを通じてヘアをスタイリング又は乾燥させるなど使用者の選択によって送風を集中または拡散することができるようにすることにより、ヘアドライヤー本体の開口部からヘアドライヤーノズルを分離しなくても簡便にヘアスタイル及び乾燥を可能にしたヘアドライヤーノズルを提供することにその目的がある。
【００１０】
また、前記可変型送風部材の旋回角度を使用者がノズルの外側から簡単に調整することによって送風がヘアに集中または飛散拡張され使用が簡便に成されるようにして利便性が最大化され、ヘアのスタイリング及び乾燥を速やかに遂行することにより、ヘアの損傷を防止することはもちろんエネルギー浪費を防止するヘアドライヤーノズルを提供することにまた他の目的がある。
【課題を解決するための手段】
【００１１】
上述したような目的を果たすための本発明によるヘアドライヤーノズルは公知の構造のヘアドライヤー（１）の風が吐出される開口部（２）に着脱されるように設置され、開口部（２）を通じて吐出される風が引き込まれる引込穴（１０２ａ）と、引き込まれた風を吐出する吐出穴（１０２ｂ）からなるメインノズル穴（１０２）とを含むヘアドライヤーノズルにおいて、前記ヘアドライヤーノズル（１００）の外側一面の中央に貫通形成され、内側に湾曲した旋回段階調節突起（１１１）が多数形成された旋回調節穴（１１０）と、前記ヘアドライヤーノズル（１００）の外側一面に形成され、前記旋回調節穴（１１０）の上下側に前後方向に長く貫通形成されたノブガイド穴（１２０）と、前記ヘアドライヤーノズルの前記メインノズル穴（１０２）の吐出穴（１０２ｂ）側の前記旋回調節穴（１１０）の後方の内周面の上下に形成されたヒンジ溝（１３０）と、一段が前記ヒンジ溝（１３０）に旋回可能に結合され旋回角度によって前記メインノズル穴（１０２）の吐出穴（１０２ｂ）側の吐出面積を拡大縮小して送風が対象物に集中及び拡大されるように設けられた可変型送風部材（１４０）と、前記旋回調節穴（１１０）とノブガイド穴（１２０）に結合され前記ヒンジ溝（１３０）を中心に旋回される前記可変型送風部材（１４０）の旋回角度を調節することができる角度調節ノブ（１５０）とを含む。
【００１２】
ここで、前記可変型送風部材（１４０）は前記メインノズル穴（１０２）の内部に位置され前記ヘアドライヤー（１）の開口部（２）を通じて引き込まれた熱風または冷風が吐出穴（１０２ｂ）を通じて吐出される送風が集中及び拡大されるように調節する板状の送風調節板（１４２）と、前記ヘアドライヤーノズル（１００）の内周面に上下に設けられた前記ヒンジ溝（１３０）にヒンジ結合されるように前記送風調節板（１４２）の後段の上下に形成されたヒンジ突起（１４４）と、前記送風調節板（１４２）の一面に前記旋回調節穴（１１０）と同一線上に開口形成されたノブの挿入穴（１４６）と、前記送風調節板（１４２）の他側面に一体に突出形成され、前記角度調節ノブ（１５０）の移動によって前記送風調節板（１４２）が旋回されるように湾曲した曲線を有する旋回ガイド長穴（１４８ａ）が形成されたガイド口（１４８）とが形成されたことを特徴とする。
【００１３】
一方、前記角度調節ノブ（１５０）は一側に上下対称に突出形成され、前記旋回調節穴（１１０）に嵌合されて前記可変型送風部材（１４０）のノブの挿入穴（１４６）を通じて前記ガイド口（１４８）の内側に位置される移動バー（１５２）と、前記移動バー（１５２）それぞれの一段の上側と下側に突出形成され、前記旋回ガイド長穴（１４８ａ）にガイド結合され前記移動バー（１５２）の移動によって前記旋回ガイド長穴（１４８ａ）に沿って移動するガイド突起（１５４）と、前記ヘアドライヤーノズル（１００）の一面に形成されたノブガイド穴（１２０）にそれぞれフック結合して前記角度調節ノブ（１５０）の離脱防止及びガイド移動されるように前記移動バー（１５２）の上下側に対称形成された引掛けガイドフック（１５６）とが形成されたことを特徴とする。
【発明の効果】
【００１４】
本発明はヘアドライヤーの前方に分離型または一体型に結合されるノズルの内周面の両側面に風が吐出される面積を制御可能な可変型送風部材を設置して送風の集中または拡散を調節し、これを通じてヘアをスタイリングする又は乾燥するなど使用者の選択によって送風を集中または拡散することができるようにすることにより、ヘアドライヤー本体の開口部からヘアドライヤーノズルを分離しなくても易しくて簡便にヘアスタイル及び乾燥が可能という長所がある。
【００１５】
また、前記可変型送風部材の旋回角度を使用者がノズルの外側から簡単に調整することによって送風がヘアに集中または飛散拡張され使用が簡便に成されるようにして利便性が極大化され、ヘアのスタイリング及び乾燥を速やかに遂行することにより、ヘアの損傷を防止することはもちろんエネルギー浪費を防止するという効果がある。
【図面の簡単な説明】
【００１６】
【図１】本発明によるヘアドライヤーノズルを示した全体斜視図である。
【図２】本発明によるヘアドライヤーノズルを示した要部拡大斜視図である。
【図３】本発明によるヘアドライヤーノズルを示した要部拡大切開斜視図である。
【図４】本発明によるヘアドライヤーノズルを示した側面断面図である。
【図５】本発明によるヘアドライヤーノズルの作動状態を示した断面図である。
【図６】本発明によるヘアドライヤーノズルを示した正面断面図である。
【発明を実施するための形態】
【００１７】
以下、本発明によるヘアドライヤーノズルの構成及び作用効果を望ましい実施例と添付された図面を参照してより詳しく説明する。
【００１８】
図１は本発明によるヘアドライヤーノズルの全体斜視図で、図２は本発明によるヘアドライヤーノズルの要部拡大斜視図であり、図３は本発明によるヘアドライヤーノズルの要部拡大切開斜視図で、図４は本発明によるヘアドライヤーノズルの側面断面図であり、図５は本発明によるヘアドライヤーノズルの作動状態の断面図で、図６は本発明によるヘアドライヤーノズルの正面断面図である。
【００１９】
図１に示されたように、本発明のヘアドライヤーノズル（１００）は公知のヘアドライヤー（１）の開口部（２）に脱着されるように形成する。ここで、前記ヘアドライヤーノズル（１００）はヘアドライヤー（１）の開口部（２）を通じて吐出される熱風及び冷風が引き込まれる引込穴（１０２ａ）と、引き込まれた熱風及び冷風を吐出する吐出穴（１０２ｂ）とからなるメインノズル穴（１０２）を含む通常の構成を有する。
【００２０】
一方、図２乃至図４に図示されたように、本発明によるヘアドライヤーノズル（１００）は通常の構成であるメインノズル穴（１０２）の吐出穴（１０２ｂ）を通じて熱風または冷風が吐出送風される面積を調節して送風が使用者のヘアに集中または飛散拡大ができるように形成されたものであって、旋回調節穴（１１０）、ノブガイド穴（１２０）、ヒンジ溝（１３０）、可変型送風部材（１４０）、角度調節ノブ（１５０）とが形成する。
【００２１】
前記旋回調節穴（１１０）は後述される角度調節ノブ（１５０）が嵌合されて前後に移動ができるように前記ヘアドライヤーノズル（１００）の外側一面の中央に貫通形成する。また、貫通された前記旋回調節穴（１１０）の内側に湾曲した旋回段階調節突起（１１１）が多数形成され後述される角度調節ノブ（１５０）の前後の移動距離が予め決まって後述される可変型送風部材（１４０）の旋回角度が決まった移動距離によって決まった角度に旋回されるように形成する。
【００２２】
前記ノブガイド穴（１２０）は後述される角度調節ノブ（１５０）が前記ヘアドライヤーノズル（１００）から離脱されずに前後移動ができるよう形成されたものであって、前記ヘアドライヤーノズル（１００）の外側一面に形成され、前記旋回調節穴（１１０）の上下側に前後方向に長く貫通形成する。ここで、前記ノブガイド穴（１２０）は角度調節ノブ（１５０）が前後移動される距離によって長さが決まる。
【００２３】
前記ヒンジ溝（１３０）は後述される可変型送風部材（１４０）がヒンジ結合され円滑な旋回が成されるように旋回基準点となるものであって、前記ヘアドライヤーノズル（１００）の前記メインノズル穴（１０２）の吐出穴（１０２ｂ）側に前記旋回調節穴（１１０）後方の内周面の上下にそれぞれ形成する。
【００２４】
前記可変型送風部材（１４０）は前記ヘアドライヤーノズル（１００）の吐出穴（１０２ｂ）の吐出面積を調節して熱風及び冷風の送風が使用者のヘアに集中または飛散拡大されるように形成されたものであって、送風調節板（１４２）、ヒンジ突起（１４４）、ノブの挿入穴（１４６）、ガイド口（１４８）から形成する。
【００２５】
前記送風調節板（１４２）は吐出穴（１０２ｂ）の吐出面積を直接的に調節し前記メインノズル穴（１０２）の内部に位置されて前記ヘアドライヤー（１）の開口部（２）を通じて引き込まれた熱風または冷風が吐出穴（１０２ｂ）を通じて吐出される送風が集中及び拡大されるように調節するように前記吐出穴（１０２ｂ）の上下長さに対応されるように板状に形成する。
【００２６】
前記ヒンジ突起（１４４）は前述した前記送風調節板（１４２）の旋回基準点で前記ヘアドライヤーノズル（１００）の内周面に上下に具備された前記ヒンジ溝（１３０）にヒンジ結合される。したがって、前記ヒンジ突起（１４４）は送風調節板（１４２）後段の上下に前記ヒンジ溝（１３０）と同一軸線上に位置するように形成する。
【００２７】
前記ノブの挿入穴（１４６）は後述される角度調節ノブ（１５０）の一段が前述した旋回調節穴（１１０）を通じて嵌合されて位置されるように前記送風調節板（１４２）の一面に前記旋回調節穴（１１０）と同一線上に開口形成する。
【００２８】
前記ガイド口（１４８）は後述される角度調節ノブ（１５０）の前後移動によって前記送風調節板（１４２）がヒンジ溝（１３０）を基準に旋回され、これにより吐出穴（１０２ｂ）の吐出面積が調節されるように形成する。ここで、前記ガイド口（１４８）は前記送風調節板（１４２）の他側面に一体に突出形成する。また、前記角度調節ノブ（１５０）の移動によって前記送風調節板（１４２）が旋回されるように湾曲した曲線を有する旋回ガイド長穴（１４８ａ）が形成する。ここで、前記旋回ガイド長穴（１４８ａ）は前述した旋回調節穴（１１０）の旋回段階調節突起（１１１）によって決まった後述される角度調節ノブ（１５０）の移動距離によって旋回角度が決まるように湾曲した曲線に形成するものである。
【００２９】
前記角度調節ノブ（１５０）は使用者がヘアドライヤーノズル（１００）の外側から簡単に前後移動で前述した前記ヒンジ溝（１３０）を中心に旋回される可変型送風部材（１４０）の旋回角度を調節するように前記旋回調節穴（１１０）とノブガイド穴（１２０）とに結合されるように設けられる。ここで、前記角度調節ノブ（１５０）は移動バー（１５２）、ガイド突起（１５４）、引掛けガイドフック（１５６）とから形成する。
【００３０】
前記移動バー（１５２）は前記角度調節ノブ（１５０）の一側に上下対称に突出形成する。また、前記移動バー（１５２）は前記旋回調節穴（１１０）に嵌合されて前記可変型送風部材（１４０）のノブの挿入穴（１４６）を通じて前記ガイド口（１４８）の内側に位置される。
【００３１】
前記ガイド突起（１５４）は前記移動バー（１５２）それぞれの一段の上側と下側に突出形成する。ここで、前記ガイド突起（１５４）は前記旋回ガイド長穴（１４８ａ）にガイド結合されて使用者が前記角度調節ノブ（１５０）を外部で前後移動させるようになると前記移動バー（１５２）が前後に移動され、これによって前記旋回ガイド長穴（１４８ａ）上で前記ガイド突起（１５４）が前後移動するようになって湾曲した旋回ガイド長穴（１４８ａ）の中心が変化され送風調節板（１４２）が可変するようになるものである。
【００３２】
前記引掛けガイドフック（１５６）は前記ヘアドライヤーノズル（１００）の一面に形成されたノブガイド穴（１２０）にそれぞれフック結合して前記角度調節ノブ（１５０）の離脱防止及びガイド移動されるように前記移動バー（１５２）の上下側に対称形成する。
【００３３】
上述したような構成による本発明のヘアドライヤーノズルの作用及び効果を実施例を通して詳しく説明する。
【実施例】
【００３４】
前述したようにメインノズル穴（１０２）の内周面に前記角度調節ノブ（１５０）の前後移動によって旋回角度が決まる可変型送風部材（１４０）を具備した本発明によるヘアドライヤーノズル（１００）を具備する。以後、本発明によるヘアドライヤーノズル（１００）をヘアドライヤー（１）の開口部（２）に結合する。
【００３５】
次に、使用者がヘアスタイリングまたは乾燥するために本発明のヘアドライヤーノズル（１００）が結合されたヘアドライヤー（１）に電源を入れる。このように電源が入るとヘアドライヤー（１）の内部に具備された送風機（未図示）と熱線から発生する風（熱風または冷風）がヘアドライヤー（１）の開口部（２）から吐出される。
【００３６】
このように開口部（２）を通じて吐出される風は図５及び図６に図示されたようにヘアドライヤーノズル（１００）のメインノズル穴（１０２）を通じて集中的に噴射される。このようにヘアドライヤーノズル（１００）のメインノズル穴（１０２）を通じて集中噴射される風を通じて使用者の毛髪を乾燥または飾ることができるようになる（図面上、点線に表示された矢印は風が流動される状態を概略的に示したものである）。
【００３７】
一方、使用者がヘアドライヤーノズル（１００）のメインノズル穴（１０２）を通じて噴射される送風を毛髪の特定部位に集中するようにヘアスタイリングを具現する場合には角度調節ノブ（１５０）を前方側に移動する。以後、角度調節ノブ（１５０）が移動することによって移動バー（１５２）が移動し、移動バー（１５２）に一体に形成されたガイド突起（１５４）が湾曲した曲線上の前記旋回ガイド長穴（１４８ａ）の曲線上で移動する。
【００３８】
ここで、旋回ガイド長穴（１４８ａ）の円弧上の曲線の中心点は角度調節ノブ（１５０）の前方に移動された距離によって変化し、これによって旋回ガイド長穴（１４８ａ）が形成されたガイド口（１４８）と一体に形成された送風調節板（１４２）がヒンジ溝（１３０）を基準に下向き旋回する。
【００３９】
次に、使用者が角度調節ノブ（１５０）を旋回調節穴（１１０）の旋回段階調節突起（１１１）の最後の部分を通って最終点で到達させるとガイド突起（１５４）は旋回ガイド長穴（１４８ａ）の最終点に到逹するようになり、これによって変化された角度調節ノブ（１５０）の移動距離に対する旋回ガイド長穴（１４８ａ）の中心点の変化によって送風調節板（１４２）が最終旋回され吐出穴（１０２ｂ）の全体面積が縮小される。
【００４０】
したがって、引込穴（１０２ａ）を通じて流入される熱風または冷風が送風調節板（１４２）の下向き旋回によって縮まった面積を有する吐出穴（１０２ｂ）へ排出されることによって送風が集中されるような使用が可能である。一方、前記の送風の集中手順を役に進行するようになると熱風または冷風が使用者の毛髪に飛散拡大されるように吐出口（１０２ｂ）の面積が拡がることである。
【００４１】
即ち、ヘアドライヤー（１）の開口部（２）から吐出される熱風または冷風の送風の集中及び飛散拡大を吐出穴（１０２ｂ）の吐出面積調節を通じて調節することによってヘアスタイル及び乾燥などの作業により良い効果を現わすことができるのは自明なことであり、上述したようにヘアドライヤーノズル（１００）に可変型送風部材（１４０）を具備した本発明のヘアドライヤーノズル（１００）をヘアドライヤー（１）に装着して使うことにより、ヘアスタイル及び乾燥の時早い作業遂行が可能であり、簡単なノブ作動によって送風の形態を制御することによりヘアドライヤーノズルを分離しないで使用できるため、使用上便利なだけでなく使用者の毛髪の損傷防止及びひいてはエネルギー節減を現わすことができることである。
【００４２】
一方、本発明の詳細な説明においては具体的な実施例について説明したが、本発明の範囲から逸脱しない範囲内で様々な変形が可能であり、当該分野で通常の知識を持っている者においてそのような変形は請求範囲の記載の範囲内にあるものである。
【符号の説明】
【００４３】
１    ヘアドライヤー
２    開口部
１００    ヘアドライヤーノズル
１０２    メインノズル穴
１０２ａ  引込穴
１０２ｂ  吐出穴
１１０    旋回調節穴
１１１    旋回段階調節突起
１２０    ノブガイド穴
１３０    ヒンジ溝
１４０    可変型送風部材
１４２    送風調節板
１４４    ヒンジ突起
１４６    ノブの挿入穴
１４８    ガイド口
１４８ａ  旋回ガイド長穴
１５０    角度調節ノブ
１５２    移動バー
１５４    ガイド突起
１５６    引掛けガイドフック
【図１】
2010240388.tif 000003
【図２】
2010240388.tif 000004
【図３】
2010240388.tif 000005
【図４】
2010240388.tif 000006
【図５】
2010240388.tif 000007
【図６】
2010240388.tif 000008